(57)【要約】【課題】明るく均一で、その終わりが明確な境界を有するような配光分布を形成できる反射鏡を提供すること。【解決手段】軸方向の少なくとも一端側が開口部を形成する回転対称形を有し、その内部が形成する反射面８により光源からの光を反射して前記開口部より外部へ放射する反射鏡７において、反射面８を、軸回りの方向に一定の角度αで分割され、軸方向に沿って異なる長さで分割され、かつ軸方向に対する傾斜角度が異なる如く配置されてなる複数のセグメント９で構成し、さらに個々のセグメント９を軸方向に沿った断面が直線の球状台形に形成することで、軸回りの方向に連続する各セグメント列により形成された完全な円状配光分布の積み重ねに基づく明るく均一で、その終わりが明確な境界を有する配光分布を実現する。【選択図】図４
2008257251.tif 000002
【特許請求の範囲】
【請求項１】
軸方向の少なくとも一端側が開口部を形成する回転対称形を有し、その内部が形成する反射面（８）により光源からの光を反射して前記開口部より外部へ放射する反射鏡（７）であって、
前記反射面（８）は、軸回りの方向に一定の角度（α）で分割され、軸方向に沿って異なる長さ（Ｌ１，Ｌ２）で分割され、かつ軸方向に対する傾斜角度（β，γ）が異なる如く配置されてなる複数のセグメント（９）から構成され、
さらに個々のセグメント（９）は、軸方向に沿った断面が直線の球状台形に形成され、
反射鏡全体の配光分布が、軸回りの方向に連続するセグメント列により形成された、いくつもの完全な円状配光分布により構成されることを特徴とする。
【請求項２】
請求項１に記載の反射鏡において、
軸回りの方向に連続するセグメント列の各々が１つの完全な円状配光分布を形成することを特徴とする。
【請求項３】
請求項１に記載の反射鏡において、
反射鏡全体の配光分布が、軸回りの方向に連続するいくつかのセグメント列により形成された、少なくとも２つの完全な円状配光分布により構成されることを特徴とする。
【請求項４】
請求項３に記載の反射鏡において、
軸回りの方向に連続する各セグメント列の軸方向に対する傾斜角度のうち、一のセグメント列の軸方向に対する傾斜角度（ε）を、当該一のセグメント列に対して前記一端側で隣接する他のセグメント列の軸方向に対する傾斜角度（δ）より小さく設定することを特徴とする。
【請求項５】
請求項４に記載の反射鏡を製作する鋳型であって、
前記一のセグメント列と当該一のセグメント列に対して前記一端側で隣接する他のセグメント列との境界（２８）で分かれた２つの鋳型からなることを特徴とする。
【請求項６】
請求項１乃至４のいずれかに記載の反射鏡において、
軸方向に沿って連続するセグメント列に属するセグメントが同一の半径Ｒを有することを特徴とする。
【請求項７】
請求項１乃至４のいずれかに記載の反射鏡において、
反射面（８）を構成する全てのセグメントが同一の半径Ｒを有することを特徴とする。
【請求項８】
請求項１乃至４のいずれかまたは６または７に記載の反射鏡において、
反射面（８）を構成する全てのセグメントが内部に向かって凸状に湾曲していることを特徴とする。
【請求項９】
請求項１乃至４のいずれかまたは６または７に記載の反射鏡において、
内部に向かって凸状に湾曲したセグメントのみからなる軸方向に沿って連続するセグメント列と、外部に向かって凸状に湾曲したセグメントのみからなる軸方向に沿って連続するセグメント列とを交互に配置して反射面を構成したことを特徴とする。
【請求項１０】
軸方向の少なくとも一端側が開口部を形成する回転対称形を有し、その内部が形成する反射面（８）により光源からの光を反射して前記開口部より外部へ放射する反射鏡（７）であって、
前記反射面（８）は、軸回りの方向に一定の角度（α）で分割され、軸方向に沿って異なる長さ（Ｌ１，Ｌ２）で分割され、かつ軸方向に対する傾斜角度（β，γ）が異なる如く配置されてなる複数のセグメント（９）から構成され、
さらに個々のセグメント（９）は、軸方向に沿った断面が直線の球状台形に形成され、
軸方向に沿って連続するセグメント列のうち、軸方向と直交する一の軸の近傍に位置するセグメント列と、軸方向と直交しかつ前記一の軸と直交する他の軸の近傍に位置するセグメント列とで、セグメントの半径をそれぞれ異なる値とすることを特徴とする。
【発明の詳細な説明】
【技術分野】
【０００１】
本発明は、反射面が数多くのセグメントから成る、回転対称形（回転楕円体のように反射面が反射鏡軸に対して回転対称の形状を有する）の反射鏡に関するものである。
【０００２】
このような反射鏡により、壁に、明るく、均一で、その終わりが明確な境界を有するような配光分布になるように光線を反射する。ここで配光分布とは、光源から直接照射される光線ではなく、反射鏡により反射された光線により形成される、ある平面での照度分布を意味する。
【０００３】
回転対称形の反射鏡では、その他の反射鏡、例えば、蛍光灯照明器具などに使用される溝形（円柱を半分に切断した形状）の反射鏡に対し均一な配光分布を形成するのは、はるかに困難である。
【背景技術】
【０００４】
図１乃至図３は従来の回転対称形の反射鏡が形成する配光分布の一例を示すもので、各図の右側には従来の回転楕円体の反射鏡１とその内部に配置された点光源３のランプ２の縦断面を、各図の左側には反射された光線が壁５に形成する配光分布を示している。
【０００５】
ここで、図１は反射鏡１の反射面の縁部１ａで反射された光線４ａにより壁５に形成される大きな円状の配光分布６ａを示している。また、図２は反射鏡１の反射面の中間部１ｂで反射された光線４ｂにより壁５に形成される比較的小さな円状の配光分布６ｂを示しており、それは配光分布６ａの内側に位置する。また、図３は反射鏡１の反射面の頂点部１ｃで反射された光線４ｃにより壁５に形成される小さな円状の配光分布６ｃを示し、それは中心に位置する。
【発明の開示】
【発明が解決しようとする課題】
【０００６】
配光分布での明るさは、どれだけの密度で光線が壁の表面に入射するかにより決まる。反射面の各部１ａ，１ｂ，１ｃは同一角度で分けられているので、各部分に同一量の光線が入射し、反射される。図３の配光分布６ｃから分かるように、反射された光線４ｃは小さな面に集中し、とても明るい配光分布を生成する。
【０００７】
配光分布６ｂと６ａを比較すれば、この反射鏡１の全体の配光分布６ａ＋６ｂ＋６ｃは、中心がとても明るく、外に向かって急速に暗くなるのが分かる。
【０００８】
この明るさの違いをある程度緩和するためには、サンドブラスト（砂のような硬い粒状物を強い風圧で吹き付ける）やハンマースケール（ハンマーでたたく）などにより、反射面の各部１ａ，１ｂ，１ｃを荒くして、反射光線４ａ，４ｂ，４ｃを広く拡散させることが考えられる。しかしながら、光線の一部は、目標とする配光分布の域外に出て行き、損失が増大する。
【０００９】
さらに、常に同一に荒らされた反射面を得ることは、とても困難である。それは、また、アルマイト加工での化学研磨の条件にもより、時には、光沢が大きすぎ、時には、まだ荒すぎる。
【００１０】
同様に困難なのは、配光分布の終わりを明確な境界にすることである。なぜなら、上述したように、明るさは、外に向かって急速に暗くなるからである。
【００１１】
また、反射面が数多くのセグメントから成る反射鏡は知られている。しかしながら、その様な反射鏡でも、図１乃至図３で示したような配光分布が形成される。
【００１２】
本発明の課題は、壁に、明るく、均一で、その終わりが明確な境界を有するような配光分布を形成できる反射鏡を提供することにある。
【課題を解決するための手段】
【００１３】
前記課題を解決するため、本発明では、軸方向の少なくとも一端側が開口部を形成する回転対称形を有し、その内部が形成する反射面（８）により光源からの光を反射して前記開口部より外部へ放射する反射鏡（７）であって、前記反射面（８）は、軸回りの方向に一定の角度（α）で分割され、軸方向に沿って異なる長さ（Ｌ１，Ｌ２）で分割され、かつ軸方向に対する傾斜角度（β，γ）が異なる如く配置されてなる複数のセグメント（９）から構成され、さらに個々のセグメント（９）は、軸方向に沿った断面が直線の球状台形に形成され、反射鏡全体の配光分布が、軸回りの方向に連続するセグメント列により形成された、いくつもの完全な円状配光分布により構成されることを特徴とする。
【００１４】
また、前記課題を解決するため、本発明では、軸方向の少なくとも一端側が開口部を形成する回転対称形を有し、その内部が形成する反射面（８）により光源からの光を反射して前記開口部より外部へ放射する反射鏡（７）であって、前記反射面（８）は、軸回りの方向に一定の角度（α）で分割され、軸方向に沿って異なる長さ（Ｌ１，Ｌ２）で分割され、かつ軸方向に対する傾斜角度（β，γ）が異なる如く配置されてなる複数のセグメント（９）から構成され、さらに個々のセグメント（９）は、軸方向に沿った断面が直線の球状台形に形成され、軸方向に沿って連続するセグメント列のうち、軸方向と直交する一の軸の近傍に位置するセグメント列と、軸方向と直交しかつ前記一の軸と直交する他の軸の近傍に位置するセグメント列とで、セグメントの半径をそれぞれ異なる値とすることを特徴とする。
【００１５】
本発明の有利な特徴については、以降の図面と詳細な記述で説明する。
【発明の効果】
【００１６】
本発明の反射鏡では、光線をセグメントにより十分に広げるので、反射表面を荒くする必要が無い。したがって、反射表面は、アルマイト加工の研磨の工程で、光沢のある鏡面に仕上げることができ、この光沢が、使用する照明器具に高級感を与える。また、本発明の反射鏡は、比較的安価に製造できる。また、計算により設計できる。つまり、コンピューターで配光分布を事前に計算できるので、目標の配光分布の反射光の形状が設計できる。
【発明を実施するための最良の形態】
【００１７】
＜第１の実施の形態＞
図４は本発明の反射鏡の第１の実施の形態を示すもので、図の右側には正面から見た図を、図の左側には側面から見た図を示している。この反射鏡は、回転対称形である。この発明での回転対称形の反射鏡とは、その反射面が球面のセグメントや回転楕円体のセグメントのような形状、または、それに類似する形状を有する反射鏡を意味する。
【００１８】
詳細には、反射鏡７は、反射鏡軸１０の方向の少なくとも一端側が開口部を形成する回転対称形を有し、その内部が形成する反射面８により光源からの光を反射して前記開口部より外部へ放射する如く構成されている。なお、反射鏡軸（単に「軸」とも表記する）とは、回転対称形における回転軸のことである。
【００１９】
また、その反射面８は、数多くのセグメント９から構成されている。セグメント９は、反射鏡軸１０に対して横向きに、つまり反射鏡軸１０を囲む方向（軸回りの方向）に一定の角度α、この例では３０度で等分（ここでは１２等分）に分割されて配置されている。また、これらのセグメント９は、図４の右側の図のＬ１，Ｌ２で示しているように、反射鏡軸１０に沿って異なる長さで分割されて配置されている。また、これらのセグメント９は、図４の右側の図のβ，γで示しているように、反射鏡軸１０に対し異なった角度で、この例では反射鏡軸１０の方向に対する傾斜角度が前記一端側から他端側に向かって徐々に大きくなる如く、隣り合わせに配置されている。
【００２０】
さらに、個々のセグメント９は反射鏡軸１０の方向に沿った断面が直線の球状台形に形成され、全てのセグメントは球状台形の半径Ｒが同一で、かつ内部に向かって凸状に湾曲している。この発明で、球状台形とは、１つのセグメントが４つの境界線を有し、そのうちの２つは曲線で互いに平行しており、もう２つは同一の長さの直線で、隣り合わせにある形状のことである。そのようなセグメントは、例えば図４の右図で符号９ａで示されている。
【００２１】
図５乃至図７は第１の実施の形態の反射鏡が形成する配光分布の一例を示すもので、各図の右側には反射鏡７とその内部に配置された点光源３のランプ２の縦断面を、各図の左側には反射された光線が壁５に形成する配光分布を示している。
【００２２】
ここで、図５は反射鏡７の反射面８の縁部８ａで反射された光線１１ａにより壁５に形成された完全な円状の配光分布１２ａを示している。また、図６は反射鏡７の反射面８の中間部８ｂで反射された光線１１ｂにより壁５に形成された完全な円状の配光分布１２ｂを示している。また、図７は反射鏡７の反射面８の頂点部８ｃで反射された光線１１ｃにより壁５に形成された完全な円状の配光分布１２ｃを示している。
【００２３】
図８は反射鏡７の反射面８の軸方向に沿って連続する所定のセグメント列の１つ目のセグメント９ａの３次元的な描写で、点光源３から放射された光線１３，１４，１５，１６がセグメント９ａにより反射されているのを示している。その形状、つまり球状台形のため、セグメント９ａのサイドに入射する光線１５と１６だけでなく、セグメント９ａの中央に入射する光線１３と１４も、楕円状の反射面に比較して大きな反射角を得る。そのため、光線群は広く反射され、大きな配光分布を形成する。
【００２４】
図９の上図は前記セグメント９ａ（図４参照）で反射された全光線により壁５に形成される配光分布１７を示している。また、図９の下図は従来の反射鏡１の反射面のうち、前記セグメント９ａと同一面積の部分で反射された光線により壁に形成される配光分布１８を示している。この際、反射面に入射する光線の量は同一である。
【００２５】
図１０乃至図１２は第１の実施の形態の反射鏡のセグメントが形成する配光分布の一例を示すもので、各図の右側には反射鏡７とその内部に配置された点光源３のランプ２の縦断面を、各図の左側には反射鏡の１つまたは２つのセグメントで反射された光線が壁５に形成する配光分布を示している。
【００２６】
ここで、図１０は反射鏡７の反射面８の軸方向に沿って連続する所定のセグメント列の１つ目のセグメント９ａで反射された光線１９ａにより壁５に形成される配光分布１７ａを示している。セグメント９ａの傾斜角度と長さにより、配光分布１７ａを、その下側の縁が目標とする反射鏡全体の配光分布の円２１に一致するよう、また上に向かって、その上側の縁が目標とする反射鏡全体の配光分布の目標１の中央２２に一致するよう、配置する。
【００２７】
図１１は反射鏡７の反射面８の軸方向に沿って連続する、前記所定のセグメント列に隣接したセグメント列の１つ目のセグメント９ｇ（図４参照）で反射された光線１９ｇにより壁５に形成される配光分布１７ｇを示している。この形状は、配光分布１７ａと同一である。ただ、配光分布１７ｇは配光分布１７ａに対して、時計と反対周りの方向に３０度回転して位置する。各セグメントは軸回りの方向に円状に３０度のインターバルで配置されているので、同一形状の配光分布が円状に３０度おきに配置され、このようにして、図５に示したような完全な円状の配光分布１２ａが軸回りの方向に連続する、ただ１つのセグメント列に属するセグメントだけで形成される。
【００２８】
軸回りの方向に連続する２つ目のセグメント列でも、１つのセグメントで配光分布１７ａと同様な配光分布が得られる。ただ、幅が狭く、縦方向が長くなる。２つ目のセグメント列に属する１２個のセグメントで、１つ目のセグメント列のセグメントと同様に完全な円状の配光分布１２ａが得られる。
【００２９】
図５に示した反射鏡７の反射面８の縁部８ａは、軸回りの方向に連続する、最初の３つのセグメント列からなっている。上述したように、各セグメント列が１つの完全な円状の配光分布を形成する。したがって、図５の配光分布１２ａは、３つの完全な円状の配光分布が積み重なって形成されたものである。
【００３０】
図１２は前記所定のセグメント列の最後のセグメント９ｆで反射された光線１９ｆにより壁５に形成される配光分布２３を示している。ここで、セグメント９ｆは光線１９ｆを、配光分布２３の上側の縁２４が、目標とする反射鏡全体の配光分布の円２１に達するように高く、また、その下側の縁２５が同様に、目標とする反射鏡全体の配光分布の円２１に一致するよう低く反射する。この配光分布２３が円状に３０度おきに配置され、また、完全な円状の配光分布１２ｃ（図７参照）が得られる。この際、セグメント９ｆは、光線１９ｆを、配光分布２３の下側の縁を目標とする反射鏡全体の配光分布の円２１の中央に位置するように反射しても良い。
【００３１】
図４に示した第１の実施の形態の反射鏡７の反射面８は、軸回りの方向に連続する、全部で６個のセグメント列から成っているので、この反射鏡７の全体の配光分布は、全部で６個の完全な円状の配光分布が積み重なれて形成されたものである。
【００３２】
実際に使用する反射鏡、例えば店舗照明用の反射鏡では、反射鏡のサイズにもよるが、１５個の完全な円状の配光分布が積み重なれて形成された全体の配光分布を作ることもできる。また、反射鏡軸１０を囲む方向に一定の角度α、この例では３０度で配置されているが、実際は６度など、小さな角度で配置するので、円状の配光分布のカドのギザギザはほとんど知覚できないほど小さい。その際、生じる配光分布は、とても均一で、その終わりが明確な境界を有する。
【００３３】
本実施の形態の反射鏡では、例えば、セラミック・メタルハライド・ランプなどで、水平方向に照射した場合に異なった色の配光分布が出るようなランプの場合、大きなメリットがある。そのようなランプでは、発光管の中のメタルハライドが完全には蒸発せず、残りが黄色の膜として発光管の下側に沈殿する。この膜を通過する光線は黄色に着色されて、壁に形成される配光分布に「黄色のしみ」をつくり、見苦しくなる。
【００３４】
本実施の形態の反射鏡では、「黄色のしみ」を、その濃度が減少するよう、大きく広げる。また、配光分布１７ａは円状にずれて、１２回積み重なれて形成されるので、「黄色のしみ」のある配光分布と、無い配光分布が混ぜ合わされて「黄色のしみ」はさらに薄くなる。さらに、図１０に示した１つ目のセグメント９ａは光線１９ａを目標とする配光分布の円２１内の下側に反射するのに対し、図１２に示した最後のセグメント９ｆは光線１９を目標とする配光分布の円２１内へ上から下まで反射するので、これにより、また「黄色のしみ」のある配光分布と、無い配光分布が混ぜ合わされるので、配光分布の「黄色のしみ」はほとんど知覚できないほど薄く全体に均一に分配される。
【００３５】
また、新光源のＬＥＤで、高演色の白色を得るため、または、調光装置と組合わせ、多種類の色を得るため、赤青緑の３色のＬＥＤを多数（１００個など）使用して構成した光源装置がある。これを反射鏡なしで、または、従来の反射鏡とで使用すると、３色が完全には混合されないため、照射された物体の影の部分が異なった色になる欠点がある。本実施の形態の反射鏡では、３色光を拡げて重ねるため、異なった色の影が出ないだけでなく、配光分布全体の色が均一になる。
【００３６】
＜第２の実施の形態＞
第１の実施の形態の反射鏡では、軸回りの方向に連続するセグメント列の各々が１つの完全な円状の配光分布を構成している。しかし、これはいつもそうである必要はない。例えば軸回りの方向に連続するセグメント列のうち、隣接する３組のセグメント列で１つの完全な円状の配光分布を構成してもよい。これは、大きな配光分布をつくるとき有効である。
【００３７】
図１３は本発明の反射鏡の第２の実施の形態を示すもので、図の右側には正面から見た図を、図の左側には側面から見た図を示している。この反射鏡２６は、第１の実施の形態の反射鏡と同様、反射鏡軸の方向の少なくとも一端側が開口部を形成する回転対称形を有し、その内部が形成する反射面により光源からの光を反射して前記開口部より外部へ放射する如く構成されている。
【００３８】
また、その反射面は、数多くのセグメント２７から構成されている。セグメント２７は、反射鏡軸に対して横向きに、つまり反射鏡軸を囲む方向（軸回りの方向）に一定の角度α、この例では３０度で等分（ここでは１２等分）に分割されて配置されている。また、これらのセグメント２７は、反射鏡軸に沿って異なる長さで分割されて配置されている。また、これらのセグメント２７は、図１３の右側の図のβ，γ，δ，εで示しているように、反射鏡軸に対し異なった角度で、この例では反射鏡軸の方向に対する傾斜角度が、基本的には前記一端側から他端側に向かって徐々に大きくなるが、軸回りの方向に連続する各セグメント列の軸方向に対する傾斜角度のうち、一のセグメント列の軸方向に対する傾斜角度εを、当該一のセグメント列に対して前記一端側で隣接する他のセグメント列の軸方向に対する傾斜角度δより小さくなる如く、隣り合わせに配置されている。
【００３９】
さらに、個々のセグメント２７は反射鏡軸の方向に沿った断面が直線の球状台形に形成され、全てのセグメントは球状台形の半径Ｒが同一で、かつ内部に向かって凸状に湾曲している。
【００４０】
図１４乃至図１６は第２の実施の形態の反射鏡のセグメントが形成する配光分布の一例を示すもので、各図の右側には反射鏡２６とその内部に配置された点光源３のランプ２の縦断面を、各図の左側には反射鏡の１つ乃至３つのセグメントで反射された光線が壁５に形成する配光分布を示している。ここでは軸方向に沿って連続する所定のセグメント列の３つ目までのセグメントで、どのようにして一つの完全な円状の配光分布を得るかを示している。この場合、目標とする反射鏡全体の配光分布の円３１の大きさは、図１０乃至図１２に示した円２１の約３倍大きい。
【００４１】
ここで、図１４は反射鏡２６の反射面の軸方向に沿って連続する所定のセグメント列の１つ目のセグメント２７ａ（図１３参照）で反射された光線２９ａにより壁５に形成される配光分布３０ａを示している。セグメント２７ａの傾斜角度（β）により、配光分布３０ａを、その下側の縁が目標とする反射鏡全体の配光分布の円３１に一致するよう、配置される。
【００４２】
図１５は前記所定のセグメント列の２つ目のセグメント２７ｂ（図１３参照）で反射された光線２９ｂにより壁５に形成される配光分布３０ｂと上述の配光分布３０ａを示している。セグメント２７ｂの傾斜角度（γ）により、配光分布３０ｂを、その下側の縁が配光分布３０ａの上の縁と一致するよう配置される。
【００４３】
図１６は前記所定のセグメント列の３つ目のセグメント２７ｃ（図１３参照）で反射された光線２９ｃにより壁５に形成される配光分布３０ｃと上述の配光分布３０ａ，３０ｂを示している。セグメント２７ｃの傾斜角度（δ）により、配光分布３０ｃを、その下側の縁が配光分布３０ｂの上の縁と一致するよう、また、配光分布３０ｃの上側の縁が円３１の中央に来るよう配置される。
【００４４】
このようにして、所定のセグメント列の３つのセグメント２７ａ，２７ｂ，２７ｃが配光分布３０ａ，３０ｂ，３０ｃからなる「階段」を形成する。セグメントは軸回りの方向に円状に３０度のインターバルで配置されているので、同一形状の配光分布の「階段」が円状に３０度おきに配置され、このようにして、完全な円状の配光分布が軸回りの方向に連続する、３つのセグメント列に属するセグメントで形成される。
【００４５】
４つ目のセグメント２７ｄは、その次のセグメント２７ｅとさらにその次のセグメント２７ｆで２組目の配光分布の「階段」を形成する。この際、セグメント２７ｄは、光線を、上述の配光分布３０ａと同じ位置に、低く反射する。その１つ前のセグメント２７ｃは、光線を、その配光分布３０ｃの上側の縁が円３１の中央に来るよう、高く反射する。したがって、セグメント２７ｄの傾斜角度εは、その１つ前のセグメント２７ｃの傾斜角度δより小さくなる。
【００４６】
そのために、その２つのセグメント２７ｃと２７ｄの境界２８に「凹み」ができ、反射鏡を作る鋳型の製作で困難が出てくる。反射鏡はアルミニュームやプラスティックを鋳型に押し付けてつくられる。鋳型でセグメント２７を形成するには、研削機を反射鏡軸に沿い、与えられた傾斜角度で前後に動かして（図１３の左では左右に動かして）鋳型を研削する。普通は１つ目のセグメント２７ａから研削を開始するが、３つ目のセグメント２７ｃを形成するには、その傾斜角度δで前後の動きで鋳型を研削するが、そうなると、その次のセグメント２７ｄの部分まで研削してしまうことになる。
【００４７】
解決方法として、両セグメント２７ｃと２７ｄの境界２８で鋳型を分け、１つ目から３目までのセグメントの部分と、それ以降のセグメントの部分を別々に形成し、反射鏡の製作に、２つの鋳型を合わせる。
【００４８】
もし、セグメント２７ｄが、光線を、図１２のように、その配光分布の上側の縁が円３１に来るよう反射して、セグメント２７ｅと２７ｆで、配光分布の階段を形成し、その階段の下側の縁が円３１の中央に来るようにしても、同様に完全な円状の配光分布が得られる。この場合は、セグメント２７ｃと２７ｄの境界２８の「凹み」は生じない。
【００４９】
＜第３の実施の形態＞
配光分布の水平方向の幅は、セグメントの半径Ｒとセグメントの軸回りの方向の配置角度αにより、また、配光分布の垂直方向の高さは、セグメントの軸方向に沿った長さ（Ｌ１，Ｌ２）により決められる。さらにまた、配光分布の位置はセグメントの軸方向に対する傾斜角度（β，γ）で決められる。
【００５０】
これまでの実施の形態では、半径Ｒは全てのセグメントにおいて同一であった。したがって、配光分布の幅は頂点に向かって小さくなっていく。半径Ｒは軸回りの方向に連続するセグメント列ごとに異なっても良い。例えば、セグメントが頂点に近づくほど半径Ｒが小さくなるようにすると、配光分布の幅は一定となる。しかしながら、いくつもの異なった半径Ｒを有するセグメントで反射面を構成することは、鋳型の製造費用がとてもかかることになる。
【００５１】
図１７は本発明の反射鏡の第３の実施の形態を示すもので、図の右側には正面から見た図を、図の左側には側面から見た図を示している。この反射鏡は、回転対称形の反射鏡形状のままで、ほぼ長方形の配光分布を形成可能とする。
【００５２】
この反射鏡では、垂直方向のセグメント列に属するセグメントの半径Ｒ１を、水平方向のセグメント列に属するセグメントの半径Ｒ２より小さくする。
【００５３】
垂直方向のセグメント列とは、軸方向に沿って連続するセグメント列のうち、軸方向と直交する一の軸の近傍に位置するセグメント列、即ち図１７の右側の図において縦の中心線に触れている上下２つのセグメント列とそれらの左右の両側のセグメント列を言う。その列の１つのセグメントを代表的にＲ１で示している。矢印の付いた直線の長さは、半径Ｒ１のそれに対応している。直線の終わりの小さな円は中心点である。
【００５４】
水平方向のセグメント列とは、軸方向に沿って連続するセグメント列のうち、軸方向と直交しかつ前記一の軸と直交する他の軸の近傍に位置するセグメント列、即ち横の中心線に触れている左右２つのセグメント列とそれらの上下の両側のセグメント列を言う。その列の１つのセグメントを代表的にＲ２で示している。
【００５５】
小さな半径Ｒ１のセグメントは光線を広く反射し、大きな半径Ｒ２のセグメントより広い配光分布を作る。この例の反射鏡では、小さな半径Ｒ１の垂直方向のセグメント列は、左右に大きな配光分布を形成する。大きな半径Ｒ２の水平方向のセグメント列は、上下に小さな配光分布を形成する。このようにして、ほぼ長方形の反射鏡の配光分布ができる。
【００５６】
通常、長方形の配光分布を得るのには、反射鏡も長方形の必要がある。そのような、反射鏡の鋳型の製作と反射鏡の製造はとても高価である。上述の方法により、回転対称形の反射鏡で、ほぼ長方形の配光分布を得られるので、鋳型のみならず反射鏡も安価に製造できる。ほぼ長方形の配光分布は、単独では、デンタルの照明（口を照明する）に使用される。また数多くの反射鏡でとても広い長方形の配光分布を作り、自動車のクラッシュ・テストの撮影照明にも使用できる。
【００５７】
セグメントの半径Ｒは、円の半径のみならず、例えば、楕円形などの他の形状でも良い。
【００５８】
セグメントの形状は、球状台形か円筒形の一部でなければならない。つまり、反射鏡軸に沿った断面が直線でなければならない。もし、その断面が曲線であれば、セグメントの全体の形状は、球の一部か、回転楕円体の一部となり、入射した光線はあらゆる方向に、一部は反射鏡内に反射されることになる。このセグメント形状では、非常に大きな配光分布は形成できるが、比較的小さな配光角、例えば２０度の反射鏡はそのセグメント形状では不可能である。なぜならば、セグメントの傾斜角度が、光線の反射方向に影響を及ぼすことができないからである。
【００５９】
＜第４の実施の形態＞
第１８図は本発明の反射鏡の第４の実施の形態を示すもので、図の右側には正面から見た図を、図の左側には側面から見た図を示している。この反射鏡は、内部に向かって凸状に湾曲したセグメント９ａが、両側に位置した、外部に向かって凸状に湾曲したセグメント３２ａと３３ａに挟まれている、正確には、内部に向かって凸状に湾曲したセグメントのみからなる軸方向に沿って連続するセグメント列と、外部に向かって凸状に湾曲したセグメントのみからなる軸方向に沿って連続するセグメント列とが交互に配置されている。
【００６０】
このような組合せは、反射鏡の製造に有利である。なぜならば、回転している反射鏡の鋳型の上に載せられたアルミの板をスムーズに押せるからである。セグメント３２ａを含むセグメント列とセグメント３３ａを含むセグメント列の半径Ｒが、セグメント９ａを含むセグメント列と同じだと、狭い配光分布を作る。同じ幅にするには、外部に向かって凸状に湾曲したセグメントの半径Ｒを小さくする。
【図面の簡単な説明】
【００６１】
【図１】従来の回転対称形の反射鏡が形成する配光分布を示す説明図
【図２】従来の回転対称形の反射鏡が形成する配光分布を示す説明図
【図３】従来の回転対称形の反射鏡が形成する配光分布を示す説明図
【図４】本発明の反射鏡の第１の実施の形態を示す構成図
【図５】第１の実施の形態の反射鏡が形成する配光分布を示す説明図
【図６】第１の実施の形態の反射鏡が形成する配光分布を示す説明図
【図７】第１の実施の形態の反射鏡が形成する配光分布を示す説明図
【図８】第１の実施の形態の反射鏡の所定のセグメント列の１つ目のセグメントによる反射のようすを３次元的に示す説明図
【図９】第１の実施の形態の反射鏡の１セグメントによる配光分布を従来の反射鏡の場合と比較して示す説明図
【図１０】第１の実施の形態の反射鏡の１セグメントが形成する配光分布を示す説明図
【図１１】第１の実施の形態の反射鏡の１セグメントが形成する配光分布を示す説明図
【図１２】第１の実施の形態の反射鏡の１セグメントが形成する配光分布を示す説明図
【図１３】本発明の反射鏡の第２の実施の形態を示す構成図
【図１４】第２の実施の形態の反射鏡が形成する配光分布を示す説明図
【図１５】第２の実施の形態の反射鏡が形成する配光分布を示す説明図
【図１６】第２の実施の形態の反射鏡が形成する配光分布を示す説明図
【図１７】本発明の反射鏡の第３の実施の形態を示す構成図
【図１８】本発明の反射鏡の第４の実施の形態を示す構成図
【符号の説明】
【００６２】
２：ランプ、３：点光源、５：壁、７，２６：反射鏡、８：反射面、８ａ：縁部、８ｂ：中間部、８ｃ：頂点部、９，９ａ，９ｆ，９ｇ，２７，２７ａ，２７ｂ，２７ｃ，２７ｄ，２７ｅ，２７ｆ，３２ａ，３３ａ：セグメント、１０：反射鏡軸、１１ａ，１１ｂ，１１ｃ，１３，１４，１５，１６，１９ａ，１９ｆ，１９ｇ，２９ａ，２９ｂ，２９ｃ：光線、１２ａ，１２ｂ，１２ｃ，１７，１７ａ，１７ｇ，１８，２３，３０ａ，３０ｂ，３０ｃ：配光分布、２１，３１：反射鏡全体の配光分布の目標円、２８：境界、α：配置角度、β，γ，δ，ε：傾斜角度。
【図１】
2008257251.tif 000003
【図２】
2008257251.tif 000004
【図３】
2008257251.tif 000005
【図４】
2008257251.tif 000006
【図５】
2008257251.tif 000007
【図６】
2008257251.tif 000008
【図７】
2008257251.tif 000009
【図８】
2008257251.tif 000010
【図９】
2008257251.tif 000011
【図１０】
2008257251.tif 000012
【図１１】
2008257251.tif 000013
【図１２】
2008257251.tif 000014
【図１３】
2008257251.tif 000015
【図１４】
2008257251.tif 000016
【図１５】
2008257251.tif 000017
【図１６】
2008257251.tif 000018
【図１７】
2008257251.tif 000019
【図１８】
2008257251.tif 000020